(57)【要約】【課題】操作杆をケースに押しつけた位置で動かないように支持した状態で、施錠位置のラッチを弾性部材に抗して解錠位置に移動できるラッチ装置とする。【解決手段】建具の建具体に取付けるケース３０と、このケース３０に施錠位置と解錠位置とに亘って移動自在に設けたラッチ４０と、このラッチ４０を施錠位置に向けて押して保持する弾性部材６０と、前記ケース３０にラッチ移動方向に揺動自在に取付けた操作杆５０を備え、その操作杆５０はラッチ４０が施錠位置の時には第１の位置で保持され、その操作杆５０をラッチ解錠方向に揺動して第２の位置とすることでラッチ４０が解錠位置に移動し、前記操作杆５０がラッチ施錠方向に揺動してケース３０に接した第３の位置の時にはラッチ４０が外力で解錠位置までスムーズに移動できるようにしたラッチ装置。【選択図】図２
2008025218.tif 000002
【特許請求の範囲】
【請求項１】
ケースと、このケースに施錠位置と解錠位置に亘って移動自在に設けたラッチと、このラッチを施錠位置に付勢して保持する弾性部材と、前記ケースに、ラッチ移動方向に揺動自在に取付けた操作杆を備え、
前記操作杆は、前記ラッチが施錠位置の時には第１の位置に保持され、この第１の位置からラッチ解錠方向に揺動して第２の位置とすることでラッチが弾性部材に抗して解錠位置に移動し、かつ前記第１の位置からラッチ施錠方向に揺動してケースに接する第３の位置となり、
前記操作杆が第３の位置で動かないように支持した状態で、前記施錠位置のラッチを解錠位置に移動可能としたことを特徴とするラッチ装置。
【請求項２】
ケースは、ラッチ支承部と操作杆挿通部を有し、
ラッチは、ラッチ部と操作杆挿通部と操作杆当接部を有し、前記ケースのラッチ支承部に施錠位置と解錠位置とに亘って移動自在に支承され、
操作杆は、アーム部と操作部を有し、そのアーム部を、前記ケースの操作杆挿通部、ラッチの操作杆挿通部を挿通してケースに揺動自在に取付け、
前記ラッチが施錠位置の時にはアーム部がラッチの操作杆当接部に接して操作杆を第１の位置に保持し、
前記操作杆が第２の位置の時にはアーム部で操作杆当接部を押してラッチが解錠位置に移動し、
前記操作杆が第３の位置の時には、アーム部がケースに接し、アーム部とラッチ部下面との間の間隔がラッチの施錠位置から解錠位置までの移動距離よりも広い請求項１記載のラッチ装置。
【請求項３】
ラッチの操作杆当接部は円弧形状で、操作杆を第１の位置から第２の位置に揺動する際に、その操作杆のアーム部と操作杆当接部との接する位置が、アーム部の長手方向に順次移動するようにした請求項２記載のラッチ装置。
【請求項４】
建具枠に建具体を開閉自在に取付け、この建具体に、請求項１，２，３いずれか１項記載のラッチ装置におけるケースを取付け、
このラッチ装置のラッチが施錠位置の時に建具枠の係止部に係止して建具体を施錠するようにしたことを特徴とするラッチ装置を備えた建具。
【発明の詳細な説明】
【技術分野】
【０００１】
本発明は、開き窓などの建具における建具体を建具枠に施錠するのに用いられるラッチ装置、及びそのラッチ装置を備えた建具に関する。
【背景技術】
【０００２】
建具としては、内倒し窓、外倒し窓などのように、窓枠に障子を開閉自在に取付けた開き窓が知られている。
かかる開き窓においては、障子にラッチ装置を取付け、その障子を閉じ状態でラッチ装置によって施錠することが行われている。
前述のラッチ装置としては特許文献１に開示されたものが知られている。
このラッチ装置は、外筐と蓋板に沿ってラッチを施錠位置と解錠位置とに亘って移動自在に設け、このラッチをばねで施錠位置に向けて付勢して保持すると共に、このラッチを外力及び操作杆によってばねに抗して解錠位置に移動できるようにしてある。
前述のラッチ装置は、その外筐を障子に取付け、その障子を閉じ位置に向かう方向に移動すると、ラッチが窓枠の係止部に接してばねに抗して解錠位置に移動し、その障子が閉じ位置となるとラッチが窓枠の係止部を越えてばねで施錠位置となり、そのラッチが窓枠の係止部に係止して障子を施錠し、操作杆によってラッチをばねに抗して解錠位置に移動することで解錠して障子を開放できるようにする。
【０００３】
【特許文献１】実公昭５８−２９２３８号公報
【発明の開示】
【発明が解決しようとする課題】
【０００４】
前述したラッチ装置は、そのラッチと操作杆が施錠位置に向かう方向、解錠位置に向かう方向にそれぞれ連動して動く。つまり、ラッチが施錠位置に向かう方向に動くと操作杆も施錠位置に向かう方向に動き、ラッチが解錠位置に向かう方向に動くと操作杆も解錠位置に向かう方向に動く。操作杆が施錠位置に向かう方向に動くとラッチも施錠位置に向かう方向に動き、操作杆が解錠位置に向かう方向に動くとラッチも解錠位置に向かう方向に動く。
【０００５】
このようであるから、施錠位置のラッチが解錠位置に向けて動く時には操作杆も同時に解錠位置に向けて動くことになるので、その操作杆を外筐、蓋体に接して動かないように支持した状態では、施錠位置のラッチを解錠位置に移動できない。
したがって、操作杆を外筐、蓋体に接し、その操作杆によって障子を閉じ操作した時には、その操作杆が解錠位置に向かう方向に動くことがないから、ラッチが解錠位置に向かう方向に動くことができず、そのラッチが窓枠の係止部に接した時に施錠位置のままとなるので、障子を閉じることができないことがある。
【０００６】
例えば、排煙窓などの高い場所に取付けた開き窓においては、長いロッドなどの操作棒を用いてラッチ装置の操作杆を操作して障子を開閉することがある。
具体的には、開放している窓を閉じるには、障子に取付けたラッチ装置の操作杆を操作棒で押して外筐、蓋体に接し、その外筐、蓋体とともに障子を閉じ位置に向けて移動することになるが、このようにするとラッチ装置の操作杆が操作棒によって解錠位置に向けて動くことができないので、ラッチが窓枠の係止部に押しつけられても解錠位置に向けて動くことができず、そのラッチが窓枠の係止部に押しつけられたままとなり、障子を閉じ位置まで動かすことができないから、前述したラッチ装置を取付けた開き窓においては、操作棒を用いてラッチ装置のラッチを操作して障子を閉じることができない。
【０００７】
本発明の目的は、操作杆をケースに接して動かないように支持した状態で、施錠位置のラッチを外力で解錠位置に移動でき、その操作杆によって建具体をスムーズに閉じ操作できるようにしたラッチ装置及び、そのラッチ装置を用いた建具とすることである。
【課題を解決するための手段】
【０００８】
本発明のラッチ装置は、ケースと、このケースに施錠位置と解錠位置に亘って移動自在に設けたラッチと、このラッチを施錠位置に付勢して保持する弾性部材と、前記ケースに、ラッチ移動方向に揺動自在に取付けた操作杆を備え、
前記操作杆は、前記ラッチが施錠位置の時には第１の位置に保持され、この第１の位置からラッチ解錠方向に揺動して第２の位置とすることでラッチが弾性部材に抗して解錠位置に移動し、かつ前記第１の位置からラッチ施錠方向に揺動してケースに接する第３の位置となり、
前記操作杆が第３の位置で動かないように支持した状態で、前記施錠位置のラッチを解錠位置に移動可能としたことを特徴とするラッチ装置である。
【０００９】
本発明のラッチ装置においては、ケースは、ラッチ支承部と操作杆挿通部を有し、
ラッチは、ラッチ部と操作杆挿通部と操作杆当接部を有し、前記ケースのラッチ支承部に施錠位置と解錠位置とに亘って移動自在に支承され、
操作杆は、アーム部と操作部を有し、そのアーム部を、前記ケースの操作杆挿通部、ラッチの操作杆挿通部を挿通してケースに揺動自在に取付け、
前記ラッチが施錠位置の時にはアーム部がラッチの操作杆当接部に接して操作杆を第１の位置に保持し、
前記操作杆が第２の位置の時にはアーム部で操作杆当接部を押してラッチが解錠位置に移動し、
前記操作杆が第３の位置の時には、アーム部がケースに接し、アーム部とラッチ部下面との間の間隔がラッチの施錠位置から解錠位置までの移動距離よりも広いラッチ装置とすることができる。
【００１０】
このラッチ装置であれば、ケースのラッチ支承部に沿ってラッチをスムーズに施錠位置と解錠位置に移動できる。
また、操作杆を第２の位置とすることで、そのアーム部が操作杆当接部に接してラッチを解錠位置に移動する。
また、操作杆が第３の位置の時にラッチを解錠位置に移動しても、そのラッチ部下面が操作杆のアーム部に接することがなく、操作杆を第３の位置で動かさないように支持した状態でラッチを解錠位置に移動できる。
【００１１】
本発明のラッチ装置を前述のようにした場合には、そのラッチの操作杆当接部は円弧形状で、操作杆を第１の位置から第２の位置に揺動する際に、その操作杆のアーム部と操作杆当接部との接する位置が、アーム部の長手方向に順次移動するようにできる。
【００１２】
このラッチ装置であれば、操作杆を第１の位置から第２の位置に揺動して施錠位置のラッチを解錠位置に移動する時に、操作杆のアーム部とラッチの操作杆当接部との接する位置がアーム部の長手方向に順次移動するから、１点に集中して負荷が作用しないので、アーム部と操作杆当接部の接する部分が異常摩耗等することがない。
【００１３】
本発明のラッチ装置を備えた建具は、建具枠に建具体を開閉自在に取付け、この建具体に、前述の本発明のラッチ装置におけるケースを取付け、
このラッチ装置のラッチが施錠位置の時に建具枠の係止部に係止して建具体を施錠するようにしたことを特徴とするラッチ装置を備えた建具である。
【発明の効果】
【００１４】
本発明のラッチ装置によれば、操作杆をケースに接した第３の位置で動かないように支持した状態で、施錠位置のラッチを外力によって解錠位置に移動できる。
したがって、建具の建具体にラッチ装置のケースを取付けることで、そのラッチ装置の操作杆を第３の位置として建具体を閉じ操作することで、ラッチが建具枠の係止部に押しつけられて外力が作用することでラッチが解錠位置に移動するので、操作杆によって建具をスムーズに閉じ操作できる。
【００１５】
本発明のラッチ装置を備えた建具によれば、操作杆を操作棒などで押して第３の位置とし、さらに操作棒によって建具体を閉じ操作することで、操作杆、ケースを介して建具体が閉じ位置に向けて動き、そのラッチが建具枠の係止部に押しつけられることによって、そのラッチは弾性部材に抗して解錠位置に移動するので、ラッチ装置の操作杆を操作することで建具体をスムーズに閉じ操作できる。
【発明を実施するための最良の形態】
【００１６】
図１に示すように、建具枠１に建具体２を開閉自在に取付けて建具としてある。
この建具体２に、その建具体２を閉じ状態で施錠するラッチ装置３が取付けてある。
図１に示す実施の形態では、建具枠１は上枠１０と下枠１１と左右の縦枠１２を方形状に連結した窓枠である。
前記建具体２は上框２０と下框２１と左右の縦框２２を方形状に連結し、その内部にガラス等のパネル２３を装着した障子である。
そして、下枠１１と下框２１がヒンジ４で室内方向に揺動自在に連結された内倒し窓としてある。
前記ラッチ装置３は上框２０の室内側面２０ａに取付けてある。このラッチ装置３が上枠１０の係止部、例えば受け金具１３に係脱自在である。
【００１７】
前記ラッチ装置３は図２に示すように、ケース３０とラッチ４０と操作杆５０と弾性部材６０を備えている。
前記ラッチ４０はケース３０に図２に示す施錠位置と図３に示す解錠位置とに亘って移動自在に設けてあり、このラッチ４０は前述の弾性部材６０で図２に示すように受け金具１３に係止する施錠位置に向けて付勢して保持してある。
前記操作杆５０はケース３０に、ラッチ４０の移動方向に揺動自在に取付けてある。この操作杆５０は図２に示すようにラッチ４０が施錠位置の時には第１の位置に保持される。この第１の位置の操作杆５０をラッチ解錠方向に揺動して図３に示す第２の位置とすると、前記ラッチ４０は弾性部材６０に抗して受け金具１３と離脱する解錠位置に移動する。
【００１８】
図２に示す状態は、その操作杆５０がケース３０に接した第３の位置となっている。その第３の位置で動かないように操作杆５０が支持された状態で、ラッチ４０を外力により押すことで、ラッチ４０は弾性部材６０に抗して図４に示すように受け金具１３と離脱する解錠位置まで移動する。
【００１９】
このようであるから、操作杆５０を第３の位置で動かないように支持した状態で、施錠位置のラッチ４０を外力で解錠位置までスムーズに移動でき、その操作杆５０によって建具体２をスムーズに閉じ操作できる。
例えば、図１に示す内倒し窓の場合に、仮想線で示すように開放している障子（建具体２）をロッドなどの操作棒５でラッチ装置３の操作杆５０をラッチ施錠方向（矢印ａ）に押して閉じ操作すると、操作杆５０がケース３０に接した第３の位置で動かないように支持され、操作杆５０、ケース３０を経て障子が閉じ方向に回動し、図５に示すように、ラッチ４０が上枠１０に固着した受け金具１３に押しつけられる。
この状態から障子を、さらに徒事方向に回動することによって、ラッチ４０には押し下げの外力が作用し、そのラッチ４０は弾性部材６０に抗して解錠位置に向けて移動する。
そして、ラッチ４０が受け金具１３を越えたらラッチ４０が図２に示すように弾性部材６０で施錠位置に移動することで、図１に実線で示すように障子（建具体２）を窓枠（建具枠１）に施錠する。
【００２０】
図１に実線で示す状態から障子を開放するには、操作杆５０を操作棒５で下方（矢印ｂ）に引張り、操作杆５０を第２の位置としてラッチ４０を図３に示すように解錠位置まで移動する。
これによって、ラッチ４０が受け金具１３から離脱して解錠状態となるので、障子を室内側に傾倒して仮想線で示すように開放する。
【００２１】
次に、ラッチ装置の各部材の具体形状を説明する。
前記ケース３０はアウトケース３１とインナーケース３２でラッチ支承部３３を有する形状で、そのラッチ支承部３３は施錠・解錠方向の両面が開口し、かつ施錠・解錠方向と直交する方向の一面に操作杆挿通部３４を有している。
前記アウトケース３１は図６に示すように基板３１ａと両側板３１ｂ，３１ｂでコ字形状で、その両側板３１ｂと連続して取付板３１ｃ，３１ｃを有している。
前記基板３１ａに開口部３５が形成されて前述の操作杆挿通部３４としてある。
前記両側板３１ｂにはピン挿通穴３６が形成され、前記取付板３１ｃには取付用穴３７が形成してある。
前記インナーケース３２は基板３２ａの下部寄り左右両側に両側板３２ｂ，３２ｂを有していると共に、上下中間で左右中間に支持片３２ｃを有している。
前記両側板３２ｂにはピン挿通穴３８が形成され、基板３２ａの左右両側寄りには取付用穴３９が形成してある。
【００２２】
前記アウトケース３１の取付板３１ｃがインナーケース３２の基板３２ａの左右両側部に接して基板３１ａと両側板３１ｂと基板３２ａで前記ラッチ支承部３３を形成し、各取付用穴３７，３９が連通する。前記インナーケース３２の両側板３２ｂがアウトケース３１の両側板３１ｂとそれぞれ重なり合い、各ピン挿通孔３６，３８が連通する。
前記アウトケース３１とインナーケース３２は一枚の板材を穴明け、切断、折り曲げなどの板金加工で製作してある。
【００２３】
前記ラッチ４０は、ラッチ部４０ａと操作杆挿通部４０ｂと操作杆当接部４０ｃを有している。
そのラッチ部４０ａはラッチ移動方向の施錠位置側で、円弧状面４０ｄと縦面４０ｅと下面４０ｆを有し、その円弧状面４０ｄが受け金具１３に押しつけられることで解錠位置に向かう力が作用する。前記縦面４０ｅが受け金具１３に係合する。
前記操作杆挿通部４０ｂはラッチ移動方向の中間で、ラッチ移動方向と直角方向の両側面に開口し、この操作杆挿通部４０ｂに操作杆５０が挿通する。
前記操作杆当接部４０ｃはラッチ移動方向の解錠位置側で、前記操作杆５０が当接する。
すなわち、ラッチ部４０ａの下面４０ｆと操作杆当接部４０ｃとの間が操作杆挿通部４０ｂである。
【００２４】
この実施の形態では、ラッチ４０は樹脂製のラッチ本体４１と、金属製のスライダー４２を備え、このスライダー４２にラッチ本体４１を嵌め込んでラッチ４０としてある。
前記ラッチ本体４１は、ラッチ移動方向中間に空洞部４３を有し、この空洞部４３はラッチ移動方向と直角方向の両面に開口して前述の操作杆挿通部４０ｂとなり、前述の円弧状面４０ｄと下面４０ｆと操作杆当接部４０ｃを有している。
前記スライダー４２は、基板４２ａと両側板４２ｂでコ字形状で、その基板４２ａに開口窓４４と支持片４５が設けてある。
そして、スライダー４２にラッチ本体４１を嵌め込んで連結することで、開口窓４４と空洞部４３が連通して前述の操作杆挿通部４０ｂとなる。
ラッチ本体４１の下部がスライダー４２の支持片４５に接してラッチ本体４１とスライダー４２がラッチ移動方向に抜けないように強固に連結している。
なお、図示は省略するがラッチ本体４１に突起を設け、スライダー４２には突起が嵌合する穴を形成し、その突起と穴が嵌合することでラッチ本体４１とスライダー４２をより強固に連結しても良い。
【００２５】
前記操作杆５０はアーム部５１とリング状の操作部５２を備えている。このアーム部５１にピン挿通孔５３が形成してある。
このアーム部５１がアウトケース３１の開口部３５（ケース３０の操作杆挿通部３４）、スライダー４２の開口窓４４を挿通してラッチ本体４１の空洞部４３（ラッチ４０の操作杆挿通部４０ｂ）に挿通し、前記アウトケース３１のピン挿通孔３６、インナーケース３２のピン挿通孔３８及びアーム部５１のピン挿通孔５３にピン５４を挿通し、アーム部５１をケース３０に揺動自在に取付ける。
【００２６】
これによって、ラッチ４０が施錠位置の時にアーム部５１がラッチ４０の操作杆当接部４０ｃに接して第１の位置に保持される。そして操作杆５０をラッチ解錠方向に揺動して第２の位置とすると図３に示すようにアーム部５１が操作杆当接部４０ａを押し下げてラッチ４０を解錠位置とする。
前記操作杆５０をラッチ施錠方向に揺動すると、そのアーム部５１がケース３０（アウトケース３１の開口部３５）に接して第３の位置となる（図４参照）。
また、この状態において、ラッチ４０が施錠位置の時に、ラッチ本体４１の空洞部４０ｂの上面、スライダー４２の開口窓４４の上内面（つまり、ラッチ４０のラッチ部４０ａの下面４０ｆ）とアーム部５１との間の間隔は、ラッチ４０の施錠位置から解錠位置までの移動距離よりも広い。
【００２７】
前記ラッチ４０の操作杆当接部４０ｃは円弧形状で、操作杆５０が図２に示す第１の位置の時にはアーム部５１の第１点５１ａが操作杆当接部４０ｃに接している。
この状態から操作杆５０を第２の位置に揺動すると図３に示すようにアーム部５１の第２点５１ｂが操作杆当接部４０ｃにおける前記第１点５１ａが接している位置と異なる位置に接する。
要するに、操作杆５０を第１の位置から第２の位置に揺動する際に、その操作杆５０のアーム部５１と操作杆当接部４０ｃとの接する位置は、アーム部５１の長手方向に順次移動する。
【００２８】
したがって、操作杆５０でラッチ４０を施錠位置から解錠位置に移動する時に、アーム部５１と操作杆当接部４０ｃの１点に集中して負荷が作用しないので、そのアーム部５１と操作杆当接部４０ｃの接する部分が異常摩耗等することがない。
【００２９】
また、操作杆５０が第１の位置の時に、そのアーム部５１の揺動中心（ピン５４）とアーム部５１における操作杆当接部４０ｃと接した第１点５１ａがほぼ同一高さで、かつ第１点５１ａは操作杆当接部４０ｃの頂部（最も高い部分）に接しているので、この状態から操作杆５０を第２の位置に向けて揺動した時にアーム部５１の長手方向に順次ずれた位置が操作杆当接部４０ｃの円弧状面に順次接し、スムーズにラッチ４０を解錠位置に移動できる。
【００３０】
前記弾性部材６０はコイルスプリングで、インナーケース３２の支持片３２ｃとラッチ４０のラッチ部４０ａの下面４０ｆとの間に設けてある。
前記ラッチ４０には、その自重と前記操作杆５０の自重による下向揺動力とで解錠位置に向かう力が作用する。
前記力よりも弾性部材６０の弾性が大きく、操作杆５０をケース３０に押しつけてラッチ４０を施錠位置に保持している。例えば、アーム部５１をアウトケース３１の開口部３５の上端面に当接してラッチ４０を施錠位置に保持している。この場合には、操作杆５０の第１の位置と第３の位置が同一である。
なお、前記の力と前記弾性部材６０の弾性をバランスしてラッチ４０を施錠位置に保持するようにしても良い。この場合には操作杆５０の第１の位置と第３の位置が異なり、操作杆５０をラッチ移動方向に移動してケース３０に接して第３の位置とする。
【００３１】
前記インナーケース３２を上框２０の室内側面２０ａに接し、アウトケース３１の取付用孔３７からビスを上框２０に螺合してケース３０を上框２０に固着してラッチ装置３を上框２０に取付ける。
そして、ケース３０にカバー６１を嵌め込んで取付け、ケース３０を覆っている。
前記カバー６１にはラッチ４０が挿通する開口６２と、操作杆５０（アーム部５１）が挿通する開口６３を有し、そのカバー６１からラッチ４０、操作杆５０（操作部５２）が突出している。
【００３２】
前述の実施の形態で、アウトケース３１とインナーケース３２でケース３０としたのは、組み立て易さ等のためであるが、このケース３０は一体であっても良いし、アウトケース３１のみでケース３０としても良い。
また、ラッチ４０を、樹脂製のラッチ本体４１と金属製のスライダー４２で構成したのは、火災時等にラッチ本体４１が溶融してもスライダー４２で施錠状態に保持できるようにするためであるが、ラッチ４０をラッチ本体４１のみとしても良い。
【００３３】
前述の各説明では、内倒し窓としたが、外倒し窓、回転窓などにも適用できることは勿論である。
【図面の簡単な説明】
【００３４】
【図１】本発明の実施の形態を示すラッチ装置を備えた内倒し窓の断面図である。
【図２】ラッチ装置の断面図で、ラッチが施錠位置で、操作杆が第１の位置である。
【図３】ラッチ装置の断面図で、ラッチが解錠位置で、操作杆が第２の位置である。
【図４】ラッチ装置の断面図で、ラッチが解錠位置で、操作杆が第３の位置である。
【図５】ラッチ装置の断面図で、施錠位置のラッチが受け金具に接している。
【図６】ラッチ装置の分解斜視図である。
【００３５】
１…建具枠、２…建具体、３…ラッチ装置、１３…受け金具（係止部）、３０…ケース、３３…ラッチ支承部、３４…操作杆挿通部、４０…ラッチ、４０ａ…ラッチ部、４０ｂ…操作杆挿通部、４０ｃ…操作杆当接部、５０…操作杆、６０…弾性部材。
【図１】
2008025218.tif 000003
【図２】
2008025218.tif 000004
【図３】
2008025218.tif 000005
【図４】
2008025218.tif 000006
【図５】
2008025218.tif 000007
【図６】
2008025218.tif 000008